(57)【要約】      （修正有）【課題】皮の打撃によって放出される音の純粋さを保証する。【解決手段】任意の直径及び高さの改良された打楽器、一般的にはドラム１０は、ドラム皮１４を設けられた円筒形の本体１２又は胴部を含み、前記ドラム皮は、軸方向の穴３０を有する複数のエンボス加工付属部２８を含むリング１６、１８によって円筒形の本体又は胴部の互いに反対側の面それぞれに固着されている。前記本体１２の上下の縁が外に曲げられて、１個以上の舌状部２６を有するリング形バンド２０、２２を形成し、前記舌状部は、リング１６、１８を安定させる際に前記付属部２８と係合するように特別に設計されている。【選択図】図１
2007293185.tif 000002
【特許請求の範囲】
【請求項１】
皮（１４）を備えた円筒形の本体（１２）又は胴部を含み、前記皮が、軸方向の穴（３０）を有する複数のエンボス加工付属部（２８）を含むリング（１６、１８）によって円筒形の本体又は胴部の互いに反対側の面それぞれに締め付けられている、任意の直径及び高さの改良された打楽器、一般的にはドラム（１０）であって、この本体（１２）の上下の縁が外に曲げられて、１個以上の舌状部（２６）を有するリング形バンド（２０、２２）を形成し、前記舌状部が、リング（１６、１８）を安定させる際に前記付属部（２８）と係合するように特別に設計されていることを特徴とする打楽器。
【請求項２】
舌状部（２６）が、リング形バンド（２０、２２）の自由端の、本体（１２）の外側への一つ以上の折り返しからなり、この折り返しが、本体（１２）そのものの側面に対して直交する向きに形成されている、請求項１記載の打楽器。
【請求項３】
リング形バンド（２０、２２）の舌状部（２６）の数が、リング（１６、１８）のエンボス加工付属部（２８）の数と少なくとも等しい、請求項１又は２記載の打楽器。
【請求項４】
舌状部（２６）が、それぞれのねじ（３２）のねじ切り棒の一部を挿入するためのスルーホール（３４）を備え、前記ねじが、ナット（３６）と結合され、リング（１６、１８）のエンボス加工付属部（２８）の穴（３０）の中に位置する、請求項１〜３のいずれか１項記載の打楽器。
【請求項５】
テールピース緊張装置（４０、４２）が、ワイヤ（４４）により、対向する位置にある２個の舌状部（２６）又は同等な部材に固着されている、請求項１〜４のいずれか１項記載の打楽器。
【請求項６】
リング形バンド（２０、２２）を形成する折り返しの高さが１５〜５０mmの範囲である、請求項１〜５のいずれか１項記載の打楽器。
【請求項７】
リング形バンド（２０、２２）を形成する前記折り返しによって形成されるリング形中空部（２４）の幅が１〜１０mmの範囲である、請求項１〜６のいずれか１項記載の打楽器。
【請求項８】
リング形バンド（２０、２２）を形成する前記折り返しによって形成されるリング形中空部（２４）の幅が３〜６mmの範囲である、請求項１〜７のいずれか１項記載の打楽器。
【発明の詳細な説明】
【技術分野】
【０００１】
本発明は、改良された打楽器に関する。より具体的には、本発明は、任意の直径及び高さの、ドラムの型式の改良された打楽器、おそらくは、他の類似の要素とともに一般にドラムに使用され、テールピースを設けられた打楽器に関する。
【背景技術】
【０００２】
打楽器のうちでも従来から一般的であるものは、典型的には、互いに反対側の面が等しい数の伸張した膜又は皮によって封止されているリング形バンドでできた支持体又は胴部で一般に構成される、いわゆるドラムであるということは知られている。一般にはドラムスティックによって実施される、手による膜又は皮の打撃が、奏者によって起こされる振動によって生じる、リズム取り機能を有する伝統的な音を発生させる。一部のタイプのドラムでは、テールピースを見いだすことさえできる。すなわち、際立った強い音を出すための、前記皮の一方にきつく締め付けることができる、編み上げ金属ワイヤによって基本的に形成される部品片を見いだすことができる。
【０００３】
従来のドラムでは、リング形バンドを互いに反対側の面で封止する皮は、周囲に沿って、前記バンドの各縁に適合する形状であり、ねじ切り連結棒と係合するリングによってバンドに締め付けられる。より具体的には、前記バンドの互いに反対側の縁それぞれに配置される皮には、ねじ切り連結棒を挿入するための、等間隔に設けられた複数の受け座を備えた金属リングが押し嵌められる。ねじ切り連結棒は、ドラムの胴部を形成する外側面に締め付けられた等しい数の金属ブロックと係合する。各ブロックは、対向するねじ切り穴を備え、これらの穴は、胴部の垂直軸に対して平行に延びて、上に位置するドラムヘッドを締め付けるねじ及び対向する下縁に沿って装着されるドラムヘッドを他とともに安定させるためのねじの両方を受ける。あるいはまた、ドラム胴部を形成する側面のバンドには、２組のブロックが締め付けられ、各組が、ドラムヘッド皮の一方の連結棒を締め付けるのに適している。従来のドラム胴部のこの側面バンドに沿って、さらなるねじ又は同等な手段で固着された、対向するテールピース緊張装置を見いだすことができ、このテールピース緊張装置は、いわゆる調律ギヤと、ワイヤを直径方向に互いに反対側の位置で締め付ける支持体とを含む。
【０００４】
この従来の実施態様は、重大な問題を生じさせることがわかった。
【０００５】
実に、胴部の外側面に沿って存在する多数のねじ切り受け座付きブロックが、打撃によって発される音の純粋さを実際にゆがめ、前記表面が振動に対して規則的に反応せず、調律問題を生じさせるということが理解されている。
【０００６】
いくつかのタイプの公知のドラムに見られるさらなる深刻な問題は、互いに反対側のドラムヘッド皮の張りに関するものであり、この張りは、場合によっては両方の皮が各ブロックに固着されているため、独立したやり方で正しく計測することができない。したがって、一方の皮の張りが、少なくとも部分的に、他方の皮の張りに影響を及ぼす。
【発明の開示】
【発明が解決しようとする課題】
【０００７】
本発明の目的は、上記問題を解消することである。
【０００８】
より具体的には、本発明の目的は、皮の打撃によって放出される音の絶対的純粋さを保証するような改良された打楽器、すなわちドラムを提供することである。
【０００９】
本発明のさらなる目的は、簡単に調律することができる、上記のような楽器を提供することである。
【００１０】
さらに、目的は、互いに反対側の皮を、独立した、かつ計測可能なやり方で緊張させることができるようなドラムを提供することである。
【００１１】
本発明のさらなる目的は、従来の皮及び関連する既存の締め付けリングを何ら変更なしに使用することができるドラムを提供することである。
【００１２】
本発明のさらなる目的は、ユーザに対し、長期にわたり高レベルの強度及び信頼性を保証する状態にあり、簡単かつ廉価に製造されるようなドラムを利用可能にすることである。
【課題を解決するための手段】
【００１３】
この目的及び他の目的は、皮を設けられた円筒形の本体又は胴部を含み、前記皮が、軸方向の穴を有する複数のエンボス加工付属部を組み込むリングによって円筒形の本体又は胴部の互いに反対側の面それぞれに固着されている本発明の改良された打楽器であって、前記胴部の上下の縁が外に曲げられて、１個以上の舌状部を備えたリング形バンドを形成し、前記舌状部が、リングを安定させる際に前記付属部と係合するように特別に設計されていることを特徴とする打楽器によって達成される。
【００１４】
本発明の改良された打楽器の構造的及び機能的特徴は、好ましい実施態様を提供するが、本発明を開示されたとおりの形態に限定することを意図しない添付図面を参照しながら読まれる以下の説明によってさらに理解することができる。
【発明を実施するための最良の形態】
【００１５】
図面を参照すると、図１で全体を１０で示す本発明の改良された打楽器は、円筒形の本体１２又は胴部で構成され、その円筒形の本体又は胴部の互いに反対側の面に、おそらくは金属製のリング１６、１８によって画定される皮１４が固着されている、任意の直径及び／又は高さのドラムである。この胴部もまた、有利なことには、青銅、銅、鋼又はチタンのような金属でできており、本発明にしたがって、本体１２の互いに反対側の上下の縁が外に曲げられて、本体に隣接し、かつ平行に延びるリング形バンド２０、２２をそれぞれ形成している。このような折り返しの高さは、例示的には、本体１２の対応する高さと関連し、１５〜５０mmである。
【００１６】
これらの折り返しによって形成されるリング形中空部２４の幅、すなわち本体１２又は胴部の外面と折り返しの内面との間の距離は、１〜１０mmの範囲、好ましくは３〜６mmの範囲である。
【００１７】
本体１２又は胴部の上下の縁の折り返しによって形成されるリング形バンド２０及び２２はさらに、図３の例によって示すように、本体１２の外側へと、本体そのものの側面に対して有利なことには直交する方向に曲げられて、限られた幅の途切れのない緊張ユニット又は、好ましくは、互いに等間隔に設けられた任意の形状の複数の舌状部２６を形成している。舌状部２６の数は、本体１２のサイズ又は直径に関連して変化し、そのものは公知のタイプのリング１６、１８の対応するエンボス加工付属部２８のサイズ又は直径に対応する。これらのリングは、従来、ねじ又はねじ切り連結棒３２の挿入のための垂直に延びるスルーホール３０の前記舌状部２８に沿って位置している。
【００１８】
リング形バンド２０及び２２の折り返しによって形成される舌状部２６もまたスルーホール３４を設けられており、これらの穴がリング１６及び１８の穴３０と整合する。
【００１９】
ひとたび皮１４を本体１２の互いに反対側の各縁に装着すると、リング１６及び１８を皮の上に押し嵌めて、前記リングの穴３０を舌状部２６の穴３４と整列させる。
【００２０】
そして、図２に詳細に示すように、適当な長さの棒のねじ３２を穴３０に挿入し、そのねじ切り棒の一部が舌状部２６の穴３４から突出するまで延ばす。
【００２１】
従来のナット３６又は同等な部材が、リング１６及び１８をねじ３２を用いて皮１４に固着させ、皮を本体１２に締め付けることを可能にする。有利なことには、リング１６及び１８をリング形バンド２０及び２２の舌状部２６と係合させるねじ３２によって達成される皮の独立した張りのおかげで、一方の皮の張りを、楽器奏者の要求に関連させて、他方の皮の張りと異ならせることができる。さらに有利なことには、そのような固着は、本体１２又は胴部の外面と一体であるブロックの事前の配設を要さず、それにより、打撃によって発される音の純粋さのあらゆる劣化を避けることができる。
【００２２】
さらに、おそらくは設けられるテールピース（図示せず）を伸張させる従来のギヤ及び対向するワイヤ固定装置は、図４に示すように、本体又は胴部１２から適当に離間する。
【００２３】
番号４０で参照する前記ギヤは、実際には、ブラケットなどの型式の公知の手段により、本体１２のリング形バンド２２の舌状部２６の１個に締め付けられ、番号４４で参照する対向するワイヤ固定装置４２も同様にして固着される。ギヤ４０及び装置４２が位置する舌状部２６は、形状及び／又は延び方において上記舌状部２６とは明らかに異なってもよく、リング形バンド２２又は２０沿いのいかなる適当な位置に設けられてもよい。
【００２４】
上記開示から注目されるように、本発明によって達成される利点は顕著である。
【００２５】
本発明の打楽器では、リング１６、１８による皮１４の締め付けが、本体１２又は胴部と一体であり、かつ本体又は胴部から突出する係合部材の配置を要さず、それによって音の純粋さの起こりうる劣化を避けることができる。したがって、この楽器は、より簡単に調律することができる。
【００２６】
皮１４を互いに独立したやり方で本体１２に締め付ける可能性はまた、皮を、モーメントの要件に関連させて、もっとも適当なやり方で緊張させることを可能にする。
【００２７】
最後ではあるが劣らず重要なことは、さらなる変更を加えることなく、適当な直径の本体又は胴部１２を従来の皮及び関連するロックリングに適合させる可能性から得られるさらなる利点である。
【００２８】
前記発明は、例示及び説明のために提供した、排他的であったり、本発明を開示したとおりの形態に限定したりすることを意図しない好ましい実施態様を参照しながら説明した。上記開示を考慮すると、本明細書に記載した実施態様の多くの変形及び改変が当業者には自明であろう。したがって、本発明の範囲は、請求の範囲によって定義されるすべての改変及び変形を包含するものである。
【図面の簡単な説明】
【００２９】
【図１】本発明の改良された打楽器の縦断面図である。
【図２】一方の皮を胴部に固着する手段を強調して示す、上記打楽器の部分側面図である。
【図３】上記改良された打楽器の平面模式図である。
【図４】上記楽器の胴部の側面図である。
【図１】
2007293185.tif 000003
【図２】
2007293185.tif 000004
【図３】
2007293185.tif 000005
【図４】
2007293185.tif 000006
【外国語明細書】
1. Title of Invention
2007293185.tif 000007
2. Detailed Description of Invention
2007293185.tif 000008
2007293185.tif 000009
2007293185.tif 000010
2007293185.tif 000011
2007293185.tif 000012
2007293185.tif 000013
2007293185.tif 000014
2007293185.tif 000015
3. Brief Description of Drawings
2007293185.tif 000016
1.Claims
2007293185.tif 000017
2007293185.tif 000018
1. Abstract
2007293185.tif 000019
2. Representative Drawing
None
Fig. 1
2007293185.tif 000020
Fig. 2
2007293185.tif 000021
Fig. 3
2007293185.tif 000022
Fig. 4
2007293185.tif 000023